(57)【要約】【課題】特に通風、除湿効果を兼ね備えた靴用マッサージ中敷を提供する。【解決手段】パッド（10）の上に原形状に回復することが可能な複数の弾性突起(15)を形成し、かつ各弾性突起(15)内には、下に向かって開口する空気充填空間(16)を形成する。また、弾性突起(15)は内側頂上部に下へ向かって延伸する支柱(17)を形成する。更に、弾性突起(15)の周辺には、空気充填空間(16)と外部に連通する複数の空気孔(18)を形成する。よって、弾性突起(15)は力を受け圧縮変形した後、圧力を取り除くと自動的に原形状を回復することができる。また、この圧縮膨張という動作を利用して、空気孔(18)による空気充填空間の呼吸作用を形成し、靴内の通風保持、除湿および悪臭回避という目的を達する。支柱(17)は弾性突起(15)の原形状回復効果を確保するとともに、弾性突起(15)の変形を防ぎ、その使用寿命を延長することができる。【選択図】図３
0003139067.tif 000002
【実用新案登録請求の範囲】
【請求項１】
パットと、ベースパットとを含む靴用マッサージ中敷であって、
前記パットは、その表面に複数の弾性突起を有し、前記各弾性突起は、踏みつけられて変形した後、原形状に回復するプレストレスを生ずることができ、また、前記各弾性突起の内部には、下向きに開口し空気を充填する空気充填空間を形成し、かつ、前記弾性突起には前記空気充填空間の内側頂上部分に、下向きに延伸する弾性支柱を設け、更に、前記各弾性突起の周辺部には、それぞれ少なくとも一つの空気孔を設け、前記空気孔は、前記空気充填空間に連通しており、
前記ベースパットは、前記パッドの底面に貼り付けられており、
これによって、マッサージ効果を促進し、かつ通風と除湿作用を兼ね備えたことを特徴とする靴用マッサージ中敷。
【請求項２】
前記下向きの前記弾性支柱の高さが前記パッドの底面を越えないことを特徴とする請求項１に記載の靴用マッサージ中敷。
【請求項３】
前記弾性突起が原形状を回復する弾性プレストレスを向上させるため、前記弾性突起の前記弾性支柱に弾性部品を取り付けることを特徴とする請求項１または請求項２に記載の靴用マッサージ中敷。
【請求項４】
前記パッドの上には、ライナーを取り付け、前記ライナーには、前記パッドの前記弾性突起に対応する孔が開けられ、前記弾性突起頂上部の高さを変え、前記弾性突起が足の裏に押し込まれる深さを緩和し、更にそのマッサージ機能の強さを緩和することができることを特徴とする請求項１に記載の靴用マッサージ中敷。
【考案の詳細な説明】
【技術分野】
【０００１】
本考案はマッサージ効果を具備する靴用中敷に係り、具体的には通風、除湿効果を兼ね備え、さらに使用寿命を効果的に延長する靴用マッサージ中敷に関わる。
【背景技術】
【０００２】
従来、人々が一日中素足で水田で働くため、足裏が直接に地面に接触し、凸凹の地面からエキサイティングを受け、常に健康を保てると見られ、伝統の医学上には足裏に人体器官に関連する多数のつぼを有し、足裏に適当なマッサージやエキサイティングのことを行い、体の健康を促進されると信じ、そのため市場では多種様々な商品が、例えば、マッサージ靴、マッサージ靴下、靴用マッサージ中敷等が誕生した。その中の靴用マッサージ中敷は差し替え可能な特徴を持ち、マッサージの突起の大きさも適中という優れた点で、マッサージ靴の変えられない固定仕組みとマッサージ靴下効果不十分の弱点を克服し、幅広く消費者たちに受けられている。例えば、台湾特許公告第２９７１７６号の「保健吸振靴中敷の構造」が見られる。
【０００３】
前記したような旧式靴用マッサージ中敷は、構造設計は比較的に複雑であり、マッサージ用突起が長期的に加圧されると、変形や損害を受けやすく、使用寿命に影響を与える。更に旧式靴用マッサージ中敷は底の中空の円柱体と気孔の設計を利用して換気の目的を達成するため、靴の敷き皮の厚さに限られる。また、変形の余地が狭く、排気量も少なくないため、通気と除湿の効果が果たせない。そのため、長期的に使用すると、異常な匂いが発生し、ひいては使用者の足裏に湿気で黴菌まで繁殖させ、足湿疹等まで病変も考えられる。使用者の需要に効果的に満足させるができず、より一層改良する必要がある。
【０００４】
このことにかんがみ、本考案者は長年関連産業の研究開発及び製造に従事した経験に基づいて、前記靴用マッサージ中敷の使用において、かかる問題と需要について深く研究し、積極的に解決の道を追求し、長い間研究・発展に努めた結果、ついに靴用マッサージ中敷を開発することに成功し、従来の靴用マッサージ中敷がマッサージ効果低下や、使用寿命が短いという問題を克服することができた。
【特許文献１】台湾特許公告第２９７１７６号
【考案の開示】
【考案が解決しようとする課題】
【０００５】
本考案の主な目的は、通風と除湿の効果を兼ね備えた靴用マッサージ中敷を提供し、それによってマッサージ効果を増進し、靴の快適感を昇進し、更にその使用寿命を延長することである。
【課題を解決するための手段】
【０００６】
このため、本考案は主に下記の技術手段によって、前記の目的と効果を具体的に実現した。即ち、本考案に係る靴用マッサージ中敷は、パットと、ベースパットとを含む靴用マッサージ中敷であって、前記パットは、その表面に複数の弾性突起を有し、前記各弾性突起は、踏みつけられて変形した後、原形状に回復するプレストレスを生ずることができ、また、前記各弾性突起の内部には、下向きに開口し空気を充填する空気充填空間を形成し、かつ、前記弾性突起には前記空気充填空間の内側頂上部分に、下向きに延伸する弾性支柱を設け、更に、前記各弾性突起の周辺部には、それぞれ少なくとも一つの空気孔を設け、前記空気孔は、前記空気充填空間に連通しており、前記ベースパットは、前記パッドの底面に貼り付けられており、これによって、マッサージ効果を促進し、かつ通風と除湿作用を兼ね備えたことを特徴とするものである。
【考案の効果】
【０００７】
これによって、前記技術手段の実現を通して、本考案に係る靴用マッサージ中敷は弾力突起が加圧されると同時に呼吸作用が発生し、その使用時、マッサージ効果と共に、通風と除湿の効果も果たす一方、弾力突起の変形を防ぎ、使用寿命を延長することにより、その付加価値を増加させ、製品の競争力と経済効果を増進することができる。
【０００８】
以下、図面及び図番号を組み合わせ、本考案の好適な実施例を挙げて詳細に説明するが、以下の記述は本考案の好適な実施例を説明するために用いたものに過ぎず、これに基づいて本考案についていかなる形式の制限を行うことも意図するものではなく、およそ本考案の実施例に精神の下、行なわれたいかなる形式の修飾または変更も依然として本考案登録請求の範囲に属するものである。
【考案を実施するための最良の形態】
【０００９】
図1を参照されたい。本考案は靴用マッサージ中敷であり、当該靴用マッサージ中敷は主パット(10)とベースパット(20)で構成され、パット(10)には人体の足裏のつぼに対応する複数の弾性突起(15)が形成され、それによって歩行中踏んだとき、使用者の足裏のつぼに対応的に圧力とエキサイティングを与えることができる。
【００１０】
また、本考案の詳細な構成に関しては、図1、図2及び図3を参照されたい。当該パット(10)は使用者の足裏に合わせる片体であり、パット(10)の表面には複数の弾性突起(15)があり、各弾性突起(15)は踏まれて変形になった後に原状に回復するプレストレスを持ち、各弾性突起(15)の内部には下向きに開口し空気を充填する空気充填空間(16)が形成され、前記弾性突起(15)には前記空気充填空間(16)の内側頂上部分に、下向きに延伸する弾性支柱(17)を設け、前記下向きの前記弾性支柱(17)の高さが前記パッド（10）の底面を越えないようにする。更に、前記各弾性突起(15)の周辺部には、それぞれ少なくとも一つの空気孔(18)を設け、前記空気孔(18)は、前記弾性突起(15)の前記空気充填空間（16）の外部周辺に連通している。また、前記弾性突起(15)の前記弾性支柱(17)には弾性部品(19)が設けられ、弾性突起(15)の原状に回復するプレストレスが増進される。
【００１１】
また、前記ベースパット(20)がパット(10)の底面に貼り付けられることによって、各弾性突起(15)の空気充填空間(16)の開口を密閉させ、弾性突起(15)の弾性支柱(17)にある弾性部品(19)の脱落を回避する。よって、マッサージ効果が増進でき、通風と除湿の効果も兼ね備えた靴用マッサージ中敷が構成される。
【００１２】
図１、図３、及び図４には、本考案の実際の使用状況を示す。靴用マッサージ中敷を靴の中に入れ、使用者が歩行して踏んだ時、使用者の足裏が適当的にパット(10)の弾性突起(15)と接触し、それによって、使用者の足裏形状と圧力状況に合わせて、凸凹とした形に形成させ、足裏にマッサージ効果を与える。同時に弾性突起(15)の圧縮と回復の動作を利用し、空気充填空間(16)中の空気を空気孔(18)から吹出・吸込する、という呼吸作用と類似する効果を奏する。それによって、足裏には通風の効果をもたらす。しかも湿気を効果的に除去でき、使用者の快適感を増進でき、黴菌の繁殖を免れ、更に弾性支柱(17)と弾性部品(19)のプレストレスの作用により、弾性突起(15)の回復力を増進させるのみならず、長時間の圧力による変形の発生現象も減少させ、故に使用寿命を有効に延長させることができる。
【００１３】
さらに、本考案のもうひとつの実施例について、図５を参照されたい。当該靴用マッサージ中敷のパット(10)の弾性突起(15)には弾性物品(19)を設けなくても、前記効果と目的を達成できる。また、図6、図7に示すように、 本考案のもうひとつの実施例について、パット(10)には、ライナー(30)が設けられ、当該ライナーに(30)はパット(10)の弾性突起(15)に対応する孔(35)を有し、それによって弾性突起(15) 頂上部の高さを調整し、長時間に履く時または圧力の強さを軽減する時に、前記弾性突起(15)が足の裏に押し込まれる深さを緩和することによって、マッサージ機能の強さを緩和し、長時間の履きによる不快適感を改善することができる。
【００１４】
これによって、本考案がきわめてすぐれた創意を有する考案であるということが理解できる。慣用のものが直面している問題を効果的に解決するだけでなく、さらに効果を大幅に増進させ、かつ同様の技術分野において同様または類似の製品考案または公開使用が今までになく、同時に効果の増進があるので、本考案はすでに新規性及び進歩性に関する実用新案の登録要件に合致し、法に基づいて出願を行うものである。
【図面の簡単な説明】
【００１５】
【図１】本考案の靴用マッサージ中敷の立体外観図である。
【図２】本考案の靴用マッサージ中敷の主な構成部品の形状を示す立体分解図である。
【図３】本考案の靴用マッサージ中敷の内部状態および相対関係を示す断面図である。
【図４】本考案の靴用マッサージ中敷を実際に使用した場合の参考図である。
【図５】本考案の靴用マッサージ中敷の別の実施例断面図である。
【図６】本考案の靴用マッサージ中敷のもう一つの実施例分解図である。
【図７】図６における本考案の靴用マッサージ中敷の実施例を実際に使用した場合の参考図である。
【符号の説明】
【００１６】
(10)  パット                        
(15)  弾性突起
(16)  空気充填空間
(17)  （弾性）支柱
(18)  空気孔
(19)  弾性部品
(20)  ベースパット
(30)  ライナー
(35)  孔
【図１】
0003139067.tif 000003
【図２】
0003139067.tif 000004
【図３】
0003139067.tif 000005
【図４】
0003139067.tif 000006
【図５】
0003139067.tif 000007
【図６】
0003139067.tif 000008
【図７】
0003139067.tif 000009